(57)【特許請求の範囲】
【請求項１】
それぞれがＣ字状に形成された第１鉤部および第２鉤部を有し、これらの鉤部を互いに反対向きとしてＳ字状に連結してなる吊り下げ具において、
上記第１鉤部と上記第２鉤部の各基端部同士が回転軸を介して回転可能に連結されているとともに、上記第１鉤部の基端部には、同第１鉤部の回転に伴なって上記第２鉤部の開口部を開閉するアームが一体に形成されていることを特徴とする吊り下げ具。
【請求項２】
上記アームの先端部は、上記第２鉤部の少なくとも先端部側に対して所定の摩擦力をもって接触するように形成されていることを特徴とする請求項１に記載の吊り下げ具。
【請求項３】
上記アームの先端部と上記第２鉤部の先端部との間には、凹凸嵌合によるクリック力発生手段が設けられていることを特徴とする請求項２に記載の吊り下げ具。
【請求項４】
上記アームの先端部には、上記第２鉤部の先端部に対する嵌合孔が形成されていることを特徴とする請求項２または３に記載の吊り下げ具。
【請求項５】
上記第１鉤部の基端部には、上記回転軸に対して直交する第２回転軸が設けられ、同第２回転軸により上記第１鉤部が回転可能に保持されていることを特徴とする請求項１ないし４のいずれか１項に記載の吊り下げ具。
【発明の詳細な説明】
【０００１】
【発明の属する技術分野】
本発明は２つのＣ字状鉤部をＳ字状に連結してなる吊り下げ具に関し、さらに詳しく言えば、一方の鉤部にロック機構を備え、引っかけた状態が簡単には外れないようにした吊り下げ具に関するものである。
【０００２】
【従来の技術】
例えば、物干し竿などのポールに被吊下げ物を吊り下げる道具の一つとして、Ｓ字状に形成された吊り下げ具がある。図７に示すように、このＳ字状吊り下げ具１０は、ほぼＣ字状に形成され、その開口部２０１が斜め下側に向けられた上フック２０と、同じくほぼＣ字状に形成され、その開口部３０１が斜め上側に向けられた下フック３０とをＳ字状に一体に連結した構成とされている。
【０００３】
このＳ字状吊り下げ具１０によれば、上フック２０を例えば物干し竿などのポールＰに引っかけ、下フック３０に例えば植木鉢などの被吊下げ物を引っかけることにより、ポールＰに対して所望とする被吊下げ物を簡単に吊り下げることができる。
【０００４】
また、このＳ字状吊り下げ具１０は、図８に示されているように、上フック２０をテーブルなどのボードＢの端縁に引っかけて手荷物４０などを吊り下げるような使い方をされる場合もある。
【０００５】
【発明が解決しようとする課題】
このＳ字状吊り下げ具１０は、その形状が単純なＳ字状であるため、金属製、プラスチック製のいずれの場合でも容易かつ安価に製造できるできるが、他方において、次のような課題を抱えている。
【０００６】
すなわち、この吊り下げ具１０は下方向からの力にきわめて弱い。図７に示されているように、ポールＰに上フック２０を引っかけて使用する場合、何らかの原因で下方向から突き上げられると、簡単にポールＰから外れてしまう。
【０００７】
これを防止するため、上フック２０の先端部分を球状に形成したり、ゴムなどによって滑りにくくするなどの提案がなされているが、上フック２０にポールＰを通すだけの開口部２０１がある以上、脱落する可能性は残されている。
【０００８】
また、図８で説明したように、上フック２０をテーブルなどのボードＢに引っかけて使用する場合においても、吊り下げ具１０は上フック２０の先端２０２の１点で支えられることになるためきわめて不安定であり、少し触れただけでも外れてしまうことがある。
【０００９】
【課題を解決するための手段】
本発明は、このような課題を解決するためになされたものであって、その目的は、脱落防止のためのロック機構を備えた吊り下げ具を提供することにある。
【００１０】
上記目的を達成するため、本発明は、それぞれがＣ字状に形成された第１鉤部および第２鉤部を有し、これらの鉤部を互いに反対向きとしてＳ字状に連結してなる吊り下げ具において、上記第１鉤部と上記第２鉤部の各基端部同士が回転軸を介して回転可能に連結されているとともに、上記第１鉤部の基端部には、同第１鉤部の回転に伴なって上記第２鉤部の開口部を開閉するアームが一体に形成されていることを特徴としている。
【００１１】
この構成において、上記アームが上記第２鉤部のロック機構として作用する。すなわち、上記第２鉤部を上フックとして例えば物干し竿に引っかける場合には、下フックである上記第１鉤部の開口部側を上記第２鉤部側に回転させると、それに伴なって上記アームが回転し、上記第２鉤部の開口部が開放される。
【００１２】
そして、上記第２鉤部の開口部を物干し竿に引っかけた後、上記第１鉤部を上記とは反対方向に回転させると、上記第２鉤部の開口部が上記アームにより閉じられることになり、衝撃が加わってもロック機構によって吊り下げ具が脱落することはない。
【００１３】
本発明において、上記アームの先端部は、上記第２鉤部の少なくとも先端部側に対して所定の摩擦力をもって接触するように形成されていることが好ましい。この場合、上記第２鉤部に対する上記アームの先端部の接触部位は、上記第２鉤部の先端部側の外周面、側面もしくは内周面のいずれであってもよいが、好ましくは上記アームの先端部に上記第２鉤部の先端部に対する嵌合孔を形成し、この嵌合孔を上記第２鉤部の先端部に接触させるとよい。
【００１４】
また、上記アームの先端部を上記第２鉤部に摩擦的に接触させる手段としては、その接触面を粗面とする方法、その接触面にゴムなどの弾性体を貼り付ける方法などがあるが、使い勝手からすると、カチカチという軽快なクリック音を発生して係合する凹凸嵌合によるクリック力発生手段が好ましい。
【００１５】
また、上記第１鉤部の基端部に、上記回転軸に対して直交する第２回転軸を設け、この第２回転軸により上記第１鉤部を回転可能に保持してもよく、これによれば、被吊り下げ物を任意の方向に回転させることができる。
【００１６】
【発明の実施の形態】
次に、本発明の実施の形態について図面を参照しながら説明する。
【００１７】
図１の分解斜視図に示されているように、この吊り下げ具１は、それぞれがほぼＣ字状に形成された２つの鉤部２，３を備えている。この実施例において、一方の鉤部２を上フック、また、他方の鉤部３を下フックとし、以下、上フック２、下フック３として説明する。
【００１８】
上フック２および下フック３は合成樹脂製もしくは金属製のいずれであってもよく、上フック２と下フック３は、それらの開口部２３，３３の向きを反対としてＳ字状に組み合わせられ、図２に示されているように、それらの一方の端部である各基端部２ａ，３ａ同士が回転軸５を介して回転可能に連結されている。
【００１９】
すなわち、各基端部２ａ，３ａには、上フック２および下フック３を含む平面に対して直交する方向に軸挿通孔２２，３２が穿設されており、これらの各軸挿通孔２２，３２に回転軸５が挿通されて、上フック２と下フック３が相対的に回転可能に連結される。
【００２０】
したがって、この吊り下げ具１が図示しないポールなどに引っかけて吊り下げられる場合、回転軸５はほぼ水平方向に配向され、上フック２と下フック３は、その仮想垂直面に沿って相対的に回転可能となる。
【００２１】
下フック３の基端部３ａには、つの状（弓状）に形成されたアーム４が一体に連設されている。このアーム４は、下フック３の回転に伴なって上フック２の開口部２３を開閉する。
【００２２】
この実施例において、アーム４は下フック３の基端部３ａ側から見て、上フック２の先端部２ｂを超える長さを有するとともに、このアーム４には上フック２の先端部２ｂが嵌合されるスリット状の嵌合孔４３が形成されている。
【００２３】
すなわち、アーム４は、左右一対として互いに平行に延びる側板４２，４２と、この側板４２，４２の先端間に掛け渡された梁部４１とを有し、これら側板４２，４２と梁部４１とにより、スリット状の嵌合孔４３が形成されている。
【００２４】
アーム４と上フック２との間には、所定の摩擦力をもって係合する摩擦係合手段が設けられている。この実施例において、上記摩擦係合手段は、上フック２の先端部２ｂの外周面に所定間隔をもって形成された複数の凸部２１として示されている。
【００２５】
この場合、各凸部２１は断面半円形であり、アーム４の嵌合孔４３内に上フック２の先端部２ｂを嵌合して行くと、アーム４の梁部４１が軽快なクリック音とクリック力を発生しながら各凸部２１を乗り越え、その嵌合力を解除することにより、アーム４の梁部４１が所定の凸部２１間に係合保持される。
【００２６】
次に、図３を参照して、この吊り下げ具１を例えば物干し竿などのポールを取り付ける使用例を説明する。
まず、上フック２を一方の手で持つとともに、下フック３を他方の手で持ち、図３において上フック２を時計方向、もしくは下フック３を反時計方向に回転させて、上フック２の先端部２ｂからアーム４を外して、上フック２の開口部２３を開放する。
【００２７】
そして、その開口部２３から上フック２をポールＰに引っかけた後、今度は図３において上フック２を反時計方向、もしくは下フック３を時計方向に回転させて、上フック２の先端部２ｂをアーム４の嵌合孔４３内に嵌合させ、アーム４の梁部４１を所定の凸部２１間に係合させる。
【００２８】
これにより、上フック２の開口部２３がアーム４により閉じられる（ロックされる）ため、吊り下げ具１が下方から突き上げられたとしても、ポールＰから脱落することはない。また、下フック３に例えば手提げ袋などを吊り下げると、その荷重がアーム４に伝達されることになるため、上フック２に対するアーム４の係合がより強固になる。
【００２９】
上記実施例では、アーム４を左右一対の側板４２，４２と、それらの先端間に掛け渡された梁部４１とから構成しているが、図４に示されているように、アーム４をその一方の側板４２を削除したいわゆる片持ち式としてもよい。
【００３０】
また、図示されていないが、アーム４を左右一対の側板４２，４２もしくはその片側の側板４２のみの構成とし、その側板４２と上フック２の側面との間に摩擦係合手段を設けてもよい。さらには、アーム４を上フック２の先端部２ｂの内周面と接触する長さとして、それらの間に摩擦係合手段を設けてもよい。
【００３１】
また、摩擦係合手段の変形例としては、アーム４と上フック２の接触面を粗面化したものであってもよいし、アーム４と上フック２の接触面にゴムなどの弾性体を貼り付けたものでもよい。
【００３２】
図５には、本発明の第２実施例に係る吊り下げ具１ａが示されている。この吊り下げ具１ａにおいて、上フック２は上記実施例と変わるところはないが、下フック３とアーム４とがそれぞれ別部材として構成されている。
【００３３】
すなわち、この第２実施例において、下フック３の基端部３ａが下フック３側の基端部３ｂとアーム４側の基端部３ｃとに分割されており、これら各基端部３ｂ，３ｃは、上記回転軸（第１回転軸）５と直交する方向に配向された回転軸（第２回転軸）６により回転可能に連結されている。なお、各基端部３ｂ，３ｃの対向面はそれぞれ平滑面３４，４３とされている。
【００３４】
上フック２はアーム４側の基端部３ｃに回転軸５を介して回転可能に連結されている。したがって、この吊り下げ具１ａを図３のようにポールＰに吊り下げた状態において、下フック３は上フック２に対して、第１回転軸５により上下方向に回転可能で、第２回転軸６により左右方向に回転可能である。
【００３５】
上記各実施例で説明した吊り下げ具１，１ａは、テーブルなどの縁に引っかけて使用することもできる。図６にはその内の吊り下げ具１についての他の使用例が示されており、吊り下げ具１をテーブルのボードＢに取り付けるには、アーム４を完全に開いた状態として、上フック２とアーム４との間にボードＢの縁を差し込めばよい。
【００３６】
これにより、吊り下げ具１はボートＢに対して上フック２の先端部２ｂとアーム４の先端部（梁部４１）の２点で支持される。そして、下フック３に被吊下げ物を吊り下げると、アーム４の先端部には上向きの力が加わり、上フック２の先端部２ｂには下向きの力が加わるため、吊り下げ具１は、上フック２とアーム４とによってボードＢを挟み込むようにして強固に固定される。
また、第２実施例の吊り下げ具１ａも同様に使用できる。
【００３７】
なお、上記吊り下げ具１，１ａは、特に図示するまでもなく、下フック３を上側フックとし、上フック２を下側フックとして、その上下を逆さまとして使用できることはもちろんである。
【００３８】
【発明の効果】
以上説明したように、本発明によれば、それぞれがＣ字状に形成された第１鉤部および第２鉤部を互いに反対向きとしてＳ字状に連結するにあたって、第１鉤部と第２鉤部の各基端部同士を回転軸を介して回転可能に連結するとともに、第１鉤部の基端部に、同第１鉤部の回転に伴なって第２鉤部の開口部を開閉するアームを一体に形成したことにより、ポールなどから簡単に外れることがなく、しかも使い勝手のよい吊り下げ具を得ることができる。また、この吊り下げ具によれば、テーブルの縁などにも安定して取り付けることができる。
【図面の簡単な説明】
【図１】本発明の第１実施例に係る吊り下げ具の分解斜視図。
【図２】上記第１実施例の吊り下げ具の斜視図。
【図３】上記第１実施例の吊り下げ具をポールに取り付けた状態を示す側面図。
【図４】上記第１実施例の変形例を示す斜視図。
【図５】本発明の第２実施例に係る吊り下げ具の側面図。
【図６】上記第１実施例の吊り下げ具をテーブルの縁に取り付けた状態を示す側面図。
【図７】従来の吊り下げ具の側面図。
【図８】従来の吊り下げ具をテーブルに取り付けた状態を示す側面図。
【符号の説明】
１  吊り下げ具
２  上フック
２ａ  基端部
２ｂ  先端部
２１  凸部
３  下フック
３ａ，３ｂ，３ｃ  基端部
４  アーム
４１  梁部
４２  側板
４３  嵌合孔
５  第１回転軸
６  第２回転軸
【図１】
0003641404.tif 000002
【図２】
0003641404.tif 000003
【図３】
0003641404.tif 000004
【図４】
0003641404.tif 000005
【図５】
0003641404.tif 000006
【図６】
0003641404.tif 000007
【図７】
0003641404.tif 000008
【図８】
0003641404.tif 000009